(57)【要約】【課題】高速でデータ通信を行うためのモードが用意されていながら、そのデータ通信のための信号の捕捉ができないために高速で通信できない状況が発生する問題を解決する。【解決手段】無線電話用の無線通信を行う第１の無線通信部１３と、近距離無線通信を行う第２の無線通信部２１と、両無線通信部での通信を制御する通信制御部１２とを備える。第１の無線通信部１３は、無線電話用通信回線を設定してデータ伝送を行う。そのデータ伝送モードとして、音声データ通信用に準拠した第１の伝送モードとそのモードよりも高速にデータ通信可能な第２の通信モードとが用意されている。第２の無線通信部２１は、周囲の他の端末と近距離の無線通信を行う。通信制御部１２は、第１の通信モード用の信号だけが捕捉できた状態で、第２の無線通信部による通信で、無線通信回線を設定させたい要求を受信した場合に、第２の通信モード用の信号のサーチを開始させる。【選択図】図１
2009253552.tif 000002
【特許請求の範囲】
【請求項１】
所定の基地局との無線通信で、無線電話用の無線通信回線を設定してデータ伝送を行い、前記無線通信回線によるデータ通信モードとして、音声データ通信用に準拠した第１の通信モードとその第１の通信モードよりも高速にデータ通信可能な第２の通信モードとが用意された第１の無線通信部と、
当該端末の周囲の他の端末と近距離の無線通信を行う第２の無線通信部と、
前記第１の無線通信部で基地局からの第１及び第２の通信モード用の信号を捕捉する処理の制御を行うと共に、前記第１の通信モード用の信号だけが捕捉できた状態で、前記第２の無線通信部による通信で、前記無線通信回線を設定させたい要求を受信した場合に、前記第２の通信モード用の信号のサーチを開始させる通信制御部とを備えた
無線通信端末。
【請求項２】
前記通信制御部は、前記無線通信回線を設定させたい要求を受信し、その要求による前記第２の無線通信部での無線通信が確立してから、前記第２の通信モード用の信号のサーチを開始させる
請求項１記載の無線通信端末。
【請求項３】
前記通信制御部は、さらに、前記第２の無線通信部での無線通信が確立した後に、前記無線通信回線の接続先情報を前記第２の無線通信部で受信してから、前記第２の通信モード用の信号のサーチを開始させる
請求項２記載の無線通信端末。
【請求項４】
前記通信制御部は、前記無線通信回線を設定させたい要求を受信した時点で、前記第２の通信モード用の信号のサーチを開始させる
請求項１記載の無線通信端末。
【請求項５】
所定の基地局との無線通信で、無線電話用の無線通信回線を設定してデータ伝送を行い、前記無線通信回線によるデータ通信モードとして、音声データ通信用に準拠した第１の伝送モードとその第１の通信モードよりも高速にデータ通信可能な第２の通信モードとを行う第１の無線通信処理と、
周囲の他の端末と近距離の無線通信を行う第２の無線通信処理と、
前記第１の無線通信処理で基地局からの第１及び第２の通信モード用の信号を捕捉する捕捉処理と、
前記捕捉処理で、前記第１の通信モード用の信号だけが捕捉できた状態で、前記第２の無線通信処理で、前記無線通信回線を設定させたい要求を受信した場合に、前記第２の通信モード用の信号のサーチを開始させる捕捉制御処理とを行う
無線通信方法。
【発明の詳細な説明】
【技術分野】
【０００１】
本発明は、例えば携帯電話端末などの無線通信端末及びその端末に適用される無線通信方法に関し、特に近距離無線通信機能を備えた端末に適用される技術に関する。
【背景技術】
【０００２】
携帯電話端末などの無線通信端末に適用される無線通信方式としてＣＤＭＡ（Code Division Multiple Access：符号分割多重接続）方式がある。このＣＤＭＡ方式の場合、高速なデータ通信を行う規格として、ＥＶＤＯ（Evolution Data Only）方式が実用化されている。即ち、主として音声通話を行うための伝送帯域が用意された１ｘ通信よりも、高速なデータ伝送が可能なＥＶＤＯ通信が可能とされている。
【０００３】
即ち、ＣＤＭＡ方式の場合、基地局と無線通信を行うバンドクラスとして、ＢＣ０，ＢＣ３，ＢＣ６の３つのバンドクラスが用意されている。
図７は、その３つのバンドクラスＢＣ０，ＢＣ３，ＢＣ６で可能な通信方式を示した図で、バンドクラスＢＣ０とバンドクラスＢＣ３は８００ＭＨｚ帯であり、バンドクラスＢＣ６は、２ＧＨｚ帯である。図７に示すように、バンドクラスＢＣ０とバンドクラスＢＣ６では、下り回線で最大３．１Ｍｂｐｓの通信速度での通信が可能であり、バンドクラスＢＣ３では、下り回線で最大２．４Ｍｂｐｓの通信速度での通信が可能である。これらの通信速度は、各バンドクラスでの１ｘ通信よりも大幅に通信速度を高くすることができる。１ｘ通信の場合には、下り回線で１４４ｋｂｐｓに制限される。
従って、ＣＤＭＡ方式の無線通信端末で、音声通話でないデータ通信を行う際には、ＥＶＤＯ通信を行うことが好ましい。
【０００４】
ＥＶＤＯ通信を行う場合には、それぞれのバンドクラスで、１ｘ通信用のバンドの捕捉できている状態で、さらにＥＶＤＯ通信用のバンドの捕捉を行う必要がある。それぞれのバンドクラスで、１ｘ通信用のバンドの捕捉できて、ＥＶＤＯ通信用のバンドの捕捉ができてない状態では、音声通話に準じたデータ伝送速度の通信である１ｘ通信でデータ通信が行われる構成となっている。
【０００５】
図８は、従来のＥＶＤＯ通信が開始される状態を時間の流れで示した図である。
図８（ａ）は、ＥＶＤＯ捕捉に成功した場合の例である。この例の場合には、まず無線通信端末が電源オンとなって、いずれかのバンドクラスで、基地局からの１ｘ通信用の信号の捕捉ができたとする。１ｘ通信用の信号の捕捉ができない場合には、別のバンドクラスでの捕捉作業を行い、１ｘ通信用の信号の捕捉を行う。
この１ｘ通信用の信号がいずれかのバンドクラスで捕捉できると、１ｘ通信用の待ち受けを開始する。この待ち受けが開始されることで、例えば、音声通話用の着信があると、その待ち受け中のバンドクラスで１ｘ通信が開始される。さらに、その１ｘ通信用の捕捉ができたバンドクラス内で、ＥＶＤＯ通信用の基地局からの信号の捕捉処理を開始させて、捕捉ができた場合には、ＥＶＤＯ通信用の待ち受けも開始させる。このＥＶＤＯ通信用の待ち受けが開始されることで、この端末でデータ通信を開始させる必要がある場合には、ＥＶＤＯ通信でデータ通信が開始される。
【０００６】
図８（ｂ）は、ＥＶＤＯ捕捉に失敗した場合の例である。この例の場合にも、まず無線通信端末が電源オンとなって、あるバンドクラスで、基地局からの１ｘ通信用の信号の捕捉ができ、１ｘ通信用の待ち受けを開始する点までは同じである。そして、その１ｘ通信用の捕捉ができたバンドクラス内で、ＥＶＤＯ通信用の基地局からの信号の捕捉処理を開始させるが、捕捉に失敗したとする。このとき、通信端末内に設定されたタイマを作動させて、予め決められた一定時間Ｔ１が経過することで、再度、ＥＶＤＯ通信用の基地局からの信号の捕捉処理を開始させる。このようにして、一定時間Ｔ１ごとの再捕捉処理を繰り返し、いずれかの捕捉処理でＥＶＤＯ通信用の信号が捕捉できた時点で、その捕捉できた信号に同期したＥＶＤＯ通信用の待ち受けを開始させる。
【０００７】
なお、通信端末でＥＶＤＯ通信などのデータ通信を行う用途としては、例えばインターネットなどに接続して、画像データや音声データなどをダウンロードする用途などがある。このようなインターネットに接続してのダウンロードは、例えば通信端末である携帯電話端末単体でダウンロードして、その端末の表示パネルにダウンロードした画像を表示させる場合と、何らかの情報処理装置を接続してダウンロードなどを行う場合とがある。
例えば、携帯電話端末内に、無線ＬＡＮやＢｌｕｅｔｏｏｔｈ（商標）規格などの近距離無線通信を行う通信処理部を内蔵させて、その近距離無線通信部で、近隣のパーソナルコンピュータ装置と無線通信を行う。そして、そのコンピュータ装置でのダウンロードなどを、携帯電話端末を経由して行う場合がある。このようにすることで、携帯電話端末を所持することで、その携帯電話端末の周囲にあるコンピュータ装置などの情報処理装置でも、高速でのデータ通信が可能となる。
【０００８】
特許文献１には、ＥＶＤＯ通信を行う通信端末についての記載がある。この特許文献１には、上述した再捕捉の時間Ｔ１を制御する点についての記載がある。
【特許文献１】特開２００７−２７４４９７号公報
【発明の開示】
【発明が解決しようとする課題】
【０００９】
ところで、図８（ａ）に示したように、１ｘ通信の待ち受けを行うバンドクラス内で、直ちにＥＶＤＯ通信用の待ち受けも開始されれば、データ通信が高速で行えて問題がないが、図８（ｂ）のように待ち受けに失敗した場合には問題がある。
図９は、ＥＶＤＯ通信用の待ち受けに失敗した場合の例である。このＥＶＤＯ通信用の待ち受け失敗時には、上述した再捕捉までのタイマ時間Ｔ１の間は、図９（ａ）に示すように、１ｘ通信だけで待ち受けを行うことになる。従って、図９（ｂ）に示すように、一度捕捉に失敗した場合には、最短でもこのタイマ時間Ｔ１と再捕捉に必要な時間を合わせた時間Ｔ２の間は、ＥＶＤＯ方式での接続が不可能な期間となる。この時間Ｔ２の間に、データ通信の発信要求が端末内であると、１ｘ通信が開始されて、１４４ｋｂｐｓなどの低速なデータ通信が開始されてしまう。１ｘ通信が開始されると、そのときのデータ通信は最後まで１ｘ通信のモードで行われ、非常に伝送速度の遅い通信となってしまう。
【００１０】
この問題点を解決するためには、ＥＶＤＯ通信用の再捕捉を行う期間Ｔ１（図８）を短くすればよいが、再捕捉を行う期間を短くするということは、通信端末の消費電力の増大につながり、通信端末の電池の持続時間を短くしてしまう問題がある。即ち、捕捉動作中には、捕捉するバンドクラスをある程度の時間連続して受信して、基地局からの信号を捕捉する作業を行う必要があり、再捕捉を行う期間Ｔ１を短くすることは、消費電力上好ましくない。
なお、ここまではＣＤＭＡ方式の無線電話用の通信端末で、ＥＶＤＯ規格で通信を行う場合の問題について説明したが、通話用のデータ伝送速度が比較的低速な回線での待ち受けと、データ通信用の高速な回線での待ち受けとを個別に行うようなシステムの場合には、他のシステムの場合にも同様の問題がある。
【００１１】
本発明はかかる点に鑑みてなされたものであり、本来端末に高速でデータ通信を行うためのモードが用意されていながら、そのデータ通信のための信号の捕捉ができないために高速で通信できない状況が発生する問題を解決することを目的とする。
【課題を解決するための手段】
【００１２】
本発明は、無線電話用の基地局と無線通信を行う第１の無線通信部と、近距離無線通信を行う第２の無線通信部と、両無線通信部での通信を制御する通信制御部とを備える。
第１の無線通信部は、所定の基地局との無線通信で、無線電話用の無線通信回線を設定してデータ伝送を行う。その無線通信回線によるデータ通信モードとして、音声データ通信用に準拠した第１の通信モードとその第１の通信モードよりも高速にデータ通信可能な第２の通信モードとが用意されている。
第２の無線通信部は、当該端末の周囲の他の端末と近距離の無線通信を行う。
通信制御部は、第１の無線通信部で基地局からの第１及び第２の通信モード用の信号を捕捉する処理の制御を行う。そして、第１の通信モード用の信号だけが捕捉できた状態で、第２の無線通信部による通信で、無線通信回線を設定させたい要求を受信した場合に、第２の通信モード用の信号のサーチを開始させる制御を行う。
【００１３】
このようにしたことで、第２の無線通信部での近距離無線通信で、データ通信の開始要求を受信した場合、その受信を契機として第２の通信モード用の基地局からの信号の捕捉作業が開始される。従って、もし第２の通信モード用の信号が捕捉できていない状況でも、その開始された捕捉作業で捕捉できた場合には、高速なデータ通信モードである第２の通信モードで、開始要求されたデータ通信を実行することが可能になる。
【発明の効果】
【００１４】
本発明によると、無線電話回線での高速なデータ通信のための捕捉ができていない状態で、近距離無線通信でデータ通信開始要求があるとき、そのことを契機として、高速なデータ通信のための捕捉処理が実行される。従って、それだけ高速でデータ通信が行える可能性が高くなり、通信端末が備える高速のデータ通信機能を生かした高速なデータ通信が効率よく利用できるようになる。
【発明を実施するための最良の形態】
【００１５】
以下、本発明の第１の実施の形態の例を、図１〜図４を参照して説明する。
本実施の形態においては、背景技術の欄で説明した、基地局との間で、ＣＤＭＡ方式で無線電話回線を設定して無線通信を行う無線通信端末に適用した例としてある。その無線通信端末は、基地局を経由したデータ通信として、音声データ通信用に準拠した第１の通信モードである１ｘ通信モードと、その第１の通信モードよりも高速にデータ通信可能な第２の通信モードであるＥＶＤＯ通信モードとが用意されている。音声通話時には１ｘ通信モードが使用される。ＥＶＤＯ通信モードは、１ｘ通信モードで基地局からの制御信号を捕捉することができたバンドクラスで、１ｘ通信モードでの待ち受けができている状態で、さらにＥＶＤＯ通信用の制御信号を捕捉できたときに待ち受けが可能なモードである。
【００１６】
図１は、本例の無線通信端末の構成例を示したブロック図である。
本例の無線通信端末１は、いわゆる携帯電話端末として持ち運び自在に小型に構成されたもので、図示はしないが内蔵されたバッテリを電源としたものである。
【００１７】
図１に示した無線通信端末１の構成について説明すると、無線通信用の構成としては、２つの無線通信部を備える。即ち、無線電話用の基地局と無線通信を行うための第１の無線通信部である、無線電話用通信回路１３と、この端末１の近隣の端末と無線通信を行うための第２の無線通信部である、Ｂｌｕｅｔｏｏｔｈ通信回路２１とを備える。無線電話用通信回路１３には、アンテナ１１が接続してあり、Ｂｌｕｅｔｏｏｔｈ通信回路２１には、アンテナ２２が接続してある。
【００１８】
Ｂｌｕｅｔｏｏｔｈ通信回路２１で無線通信が行われる近隣の範囲とは、通常は数ｍ程度の非常に近接したである。
このそれぞれの無線通信部１３，２１での無線通信は、この無線通信端末１の制御部１２の制御で実行され、通信制御部として機能する。基地局との無線接続などの処理も、制御部１２が制御する。制御部１２は、制御ライン２５を介して通信端末１内の各部と制御データのやりとりを行い、無線通信以外の端末内の各機能の制御を行う。
【００１９】
無線電話用通信回路１３で受信したパケット内に、音声データが含まれる場合には、その音声データを取出す。受信パケットから取り出した音声データは、データライン２６を介して音声処理部２０に供給し、アナログ音声信号への復調処理を行い、復調されたアナログ音声信号をスピーカ１８に供給して、音声を出力させる。
また、音声が入力されるマイクロフォン１９を備え、マイクロフォン１９で拾った音声信号を、音声処理部２０で送信用の音声データに変調し、変調された音声データを無線電話用通信回路１３に供給する。無線電話用通信回路１３では、供給される音声データを、基地局に送信するパケット内に配置して、無線送信する。
【００２０】
また、無線通信端末１は、液晶表示パネルなどで構成される表示部１４を備え、制御部１２の制御で、各種情報の表示を行う。ここでの表示としては、電話の発信や着信に関する表示、電話帳やメールアドレスリストなどの登録された情報の表示、受信メールや送信メールの表示、インターネットに接続してダウンロードした画像の表示などがある。
また、操作部１５を備え、操作部１５での操作に基づいて、制御部１２が各種処理を行う。例えば、無線電話通信による発信や、メールの送受信、インターネットへのアクセスなどのデータ通信の開始や終了などが、操作部１５として用意されたキーなどが操作されることで実行される。
また、無線通信端末１は記憶部１６が制御ライン２５及びデータライン２６に接続してあり、例えば外部から受信して記憶する必要のあるデータが、記憶部１６に記憶される。また、制御部１２での制御処理に必要なプログラムについても、記憶部１６に記憶される。
【００２１】
Ｂｌｕｅｔｏｏｔｈ通信回路２１は、Ｂｌｕｅｔｏｏｔｈ（商標）規格に準拠した無線通信方式で無線通信を行う回路であり、データ通信を行う機能に応じて種々のプロファイルが用意されている。例えば、この無線通信端末１で無線電話回線にダイヤルアップで接続させる際には、ＤＵＮ（Dial-up Networking Profile）と称されるプロファイルで無線通信を行うようにしてある。その他、相手の端末との接続や認証を行うプロファイル、相手の端末が提供する機能を調べるプロファイル、ヘッドセットとハンズフリー通話用を行うためのプロファイルなどが用意されている。Ｂｌｕｅｔｏｏｔｈ通信回路２１で無線通信を行う相手の端末としては、ハンズフリー通話用ヘッドセットなどの音声通話用の端末の他に、パーソナルコンピュータ装置やＰＤＡ、携帯用ゲーム装置などの各種情報処理装置が想定される。
【００２２】
Ｂｌｕｅｔｏｏｔｈ通信回路２１で、相手側の端末からＤＵＮのプロファイルで無線通信の接続要求を受信した場合、制御部１２は、無線電話用通信回線１３で、指示された電話番号への発信などのダイヤルアップ接続処理を実行させる。
【００２３】
次に、本実施の形態によるデータ通信時の処理例を、図２のフローチャートを参照して説明する。この図２は、端末１がいずれの基地局からの信号を捕捉できていない状態を最初の状態としてある。
まず、無線通信端末１は、いずれかのバンドクラスで１ｘ通信用の基地局からの信号が捕捉できたか否か判断する（ステップＳ１１）。ここで、いずれのバンドクラスでも捕捉出来ない場合には、圏外用の動作を行う。
そして、１ｘ用の基地局からの信号が捕捉できた場合には、１ｘ通信用の待ち受け動作に入る。そして次にＥＶＤＯ用の信号の捕捉処理を行い、その捕捉できたか否か判断する（ステップＳ１２）。ここで、ＥＶＤＯ用の信号が捕捉できた場合には、ＥＶＤＯ通信用の待ち受け動作も実行される。ここまでは、従来の処理と同様である。
【００２４】
そして本実施の形態においては、ステップＳ１２でＥＶＤＯ用の信号が捕捉できない場合に、Ｂｌｕｅｔｏｏｔｈ通信回路２１で、相手の端末からの接続要求があってＢｌｕｅｔｏｏｔｈ通信処理が起動されたか否か判断する（ステップＳ１３）。ここで、Ｂｌｕｅｔｏｏｔｈ通信処理が起動されないと判断した場合には、ステップＳ１２での捕捉の有無の判断とステップＳ１３での起動判断とを繰り返す。
【００２５】
ステップＳ１３でＢｌｕｅｔｏｏｔｈ通信処理が起動されたと判断した場合には、ＳＤＰ(Service Discovery Application Profile)のプロファイルで、現在の通信のサービスを確認する（ステップＳ１４）。ここでは、サービスとして、ダイヤルアップ接続を行うＤＵＮのプロファイルであるか否か判断し（ステップＳ１５）、ＤＵＮのプロファイルである場合、制御部１２の制御で、ＤＵＮのプロファイルを開始させる。ＤＵＮのプロファイルでない場合には、ステップＳ１２の判断に戻る。
ＤＵＮのプロファイルを開始させた場合には、その後、Ｂｌｕｅｔｏｏｔｈ通信回路２１で通信を行う際のシリアルポートをエミュレーションして実際にデータ転送を実行する層であるＲＦＣＯＭＭ層を起動させる（ステップＳ１６）。
【００２６】
そして本実施の形態においては、ここまでＢｌｕｅｔｏｏｔｈ通信回路２１で処理が行われると、制御部１２の制御で、ＥＶＤＯ通信用の基地局からの信号を捕捉するためのサーチ処理を、無線電話用通信回路１３で開始させる（ステップＳ１７）。その後、Ｂｌｕｅｔｏｏｔｈ通信回路２１でＲＦＣＯＭＭ層での通信が確立すると（ステップＳ１８）、ＲＦＣＯＭＭ層のＤＴＲ（Data Terminal Inactive）を非アクティブとして、Ｂｌｕｅｔｏｏｔｈ通信回路２１での通信を待機させる（ステップＳ１９）。
【００２７】
その後、ステップＳ１７で開始させたサーチで、ＥＶＤＯ通信用の捕捉が完了したか否か判断する（ステップＳ２０）。ここで捕捉が完了した場合には、ＲＦＣＯＭＭ層のＤＴＲをアクティブ状態として、Ｂｌｕｅｔｏｏｔｈ通信回路２１での通信を開始させる（ステップＳ２１）。その状態で更に、ステップＳ１５で開始されたＤＵＮのプロファイルで指定された電話番号にダイヤルアップで接続させる（ステップＳ２２）。このようにして、無線電話用通信回路１３で、ＥＶＤＯ用のモードで接続された無線電話回線で接続された相手と、Ｂｌｕｅｔｏｏｔｈ通信回路２１で無線接続された相手との間で、データ通信が開始される。このときのデータ通信は、ＥＶＤＯ用の通信モードが使用されるので、比較的高速なデータ伝送が行われる。
【００２８】
そして、ステップＳ２０でＥＶＤＯ通信用の捕捉が完了しない場合には、その捕捉開始から一定時間が経過してタイムアウトになったか否か判断し（ステップＳ２３）、タイムアウトになるまで、ステップＳ２０での捕捉処理が繰り返される。
ステップＳ２３でタイムアウトになった場合には、ＲＦＣＯＭＭ層のＤＴＲをアクティブ状態として、Ｂｌｕｅｔｏｏｔｈ通信回路２１での通信を開始させる（ステップＳ２４）。その状態で、ステップＳ１５で開始されたＤＵＮのプロファイルで指定された電話番号にダイヤルアップで接続させ、データ通信を開始させる（ステップＳ２５）。このステップＳ２５でのデータ通信の場合には、１ｘモードでの通信となる。
【００２９】
図３のタイミングチャートは、図２のフローチャートのステップＳ１３で、Ｂｌｕｅｔｏｏｔｈ通信回路２１が起動した場合の処理を示したものであり、ＲＦＣＯＭＭ層が確立する前にＥＶＤＯ用の信号の捕捉ができた場合の例である。
図３について説明すると、図３（ａ）に示すように、１ｘ通信モードでの信号については捕捉済みであるとする。そして、図３（ｂ）に示すように、ＥＶＤＯ通信モードの信号については、捕捉されていない状態である。
この状態で、図３（ｃ）に示すように、Ｂｌｕｅｔｏｏｔｈ通信のリンク確立処理があると、ＳＤＰでプロファイルの確立処理が行われ、ＤＵＮ接続が開始される。そして、ＲＦＣＯＭＭ層の確立処理と並行して、図３（ｂ）に示すように、ＥＶＤＯ通信モードの信号の捕捉処理が開始される。この図３の例では、ＲＦＣＯＭＭ層が確立するのに要する時間Ｔ３よりも、ＥＶＤＯ通信モードの信号の捕捉に要する時間の方が短い場合の例であり、ＲＦＣＯＭＭ層が確立した時点で、ＥＶＤＯ通信モードでの通信が可能であり、ＤＵＮのプロファイルで指定された電話番号への発信を行ったデータ通信が開始される。
【００３０】
図４のタイミングチャートは、ＲＦＣＯＭＭ層が確立した後にＥＶＤＯ用の信号の捕捉ができた場合の例である。
この例でも、図４（ａ）に示すように、１ｘ通信モードでの信号については捕捉済みである。そして、図４（ｂ）に示すように、ＥＶＤＯ通信モードの信号については、捕捉されていない。
この状態で、図４（ｃ）に示すように、Ｂｌｕｅｔｏｏｔｈ通信のリンク確立処理があると、ＳＤＰでプロファイルの確立処理が行われ、ＤＵＮ接続が開始される。そして、ＲＦＣＯＭＭ層の確立処理と並行して、図４（ｂ）に示すように、ＥＶＤＯ通信モードの信号の捕捉処理が開始される。この図４の例では、ＲＦＣＯＭＭ層が確立するのに要する時間Ｔ３よりも、ＥＶＤＯ通信モードの信号の捕捉に要する時間の方が長い場合の例であり、ＲＦＣＯＭＭ層が確立した時点では、ＥＶＤＯ通信モードの信号の捕捉が完了していない。このため、ＲＦＣＯＭＭ層が確立した時点で、ＤＴＲを非アクティブ状態として、Ｂｌｕｅｔｏｏｔｈ通信を待機させる。
その後、図４（ｂ）（ｃ）に示すように、ＥＶＤＯ通信モードの信号が捕捉できた時点で、ＤＴＲをアクティブ状態として、Ｂｌｕｅｔｏｏｔｈ通信とＥＶＤＯ通信モードでの通信を開始させる。
【００３１】
このようにして、ＥＶＤＯ通信モードの信号が捕捉できていな場合に、ダイヤルアップ接続を行うためのＢｌｕｅｔｏｏｔｈ通信が開始されるのを契機として、その捕捉処理を開始するようにしたことで、良好な通信が行えるようになる。即ち、従来は図９で説明したように、ＥＶＤＯ通信モードで信号が捕捉できない状態でデータ通信を開始させる要求があると、１ｘ通信モードで通信が開始されてしまって、比較的低速でのデータ通信となってしまう。これに対して、本実施の形態の場合には、再捕捉タイマ動作とは関係なく、Ｂｌｕｅｔｏｏｔｈ通信でのダイヤルアップ接続の要求により、直ちに再捕捉動作が行われ、再捕捉ができた場合には、ＥＶＤＯ通信モードでの高速のデータ通信が行われる。
なお、Ｂｌｕｅｔｏｏｔｈ通信が開始されても、プロファイルがＤＵＮでない場合には、ダイヤルアップ接続を行う通信モードではなく、ＥＶＤＯ通信モードの捕捉処理は実行されない。従って、無線電話回線でのデータ通信が必要な場合にだけ、ＥＶＤＯ通信モードの捕捉処理が行われ、捕捉処理が無駄に行われることがなく、端末の低消費電力化に貢献する。
【００３２】
次に、本発明の第２の実施の形態を、図５及び図６を参照して説明する。
本実施の形態においても、基地局との間で、ＣＤＭＡ方式で無線電話回線を設定して無線通信を行う無線通信端末に適用した例としてあり、無線通信端末の構成例や、適用される通信方式については、上述した第１の実施の形態と同様である。制御部１２での無線通信に関する制御状態が第１の実施の形態とは異なる。
【００３３】
本実施の形態においては、ＥＶＤＯ通信モードの捕捉を開始させるタイミングを、Ｂｌｕｅｔｏｏｔｈ通信でのＲＦＣＯＭＭが確立した後に行うものである。
その接続処理を図５のフローチャートを参照して説明する。
【００３４】
まず、無線通信端末１は、いずれかのバンドクラスで１ｘ通信用の基地局からの信号が捕捉できたか否か判断する（ステップＳ３１）。ここで、いずれのバンドクラスでも捕捉出来ない場合には、圏外用の動作を行う。
そして、１ｘ用の基地局からの信号が捕捉できた場合には、１ｘ通信用の待ち受け動作に入る。そして次にＥＶＤＯ用の信号の捕捉処理を行い、その捕捉できたか否か判断する（ステップＳ３２）。ここで、ＥＶＤＯ用の信号が捕捉できた場合には、ＥＶＤＯ通信用の待ち受け動作も実行される。
【００３５】
そして、ステップＳ３２でＥＶＤＯ用の信号が捕捉できない場合に、Ｂｌｕｅｔｏｏｔｈ通信回路２１で、相手の端末からの接続要求があってＢｌｕｅｔｏｏｔｈ通信処理が起動されたか否か判断する（ステップＳ３３）。ここで、Ｂｌｕｅｔｏｏｔｈ通信処理が起動されないと判断した場合には、ステップＳ３２での捕捉の有無の判断とステップＳ３３での起動判断とを繰り返す。
【００３６】
ステップＳ３３でＢｌｕｅｔｏｏｔｈ通信処理が起動されたと判断した場合には、ＳＤＰ(Service Discovery Application Profile)のプロファイルで、現在の通信のサービスを確認する（ステップＳ３４）。ここでは、サービスとして、ダイヤルアップ接続を行うＤＵＮのプロファイルであるか否か判断し（ステップＳ３５）、ＤＵＮのプロファイルである場合、制御部１２の制御で、ＤＵＮのプロファイルを開始させる。ＤＵＮのプロファイルでない場合には、ステップＳ３２の判断に戻る。
ＤＵＮのプロファイルを開始させた場合には、その後、Ｂｌｕｅｔｏｏｔｈ通信回路２１で通信を行う際のシリアルポートをエミュレーションして実際にデータ転送を実行する層であるＲＦＣＯＭＭ層を起動させる（ステップＳ３６）。
【００３７】
この起動で、ＲＦＣＯＭＭ層での通信が確立し（ステップＳ３７）、Ｂｌｕｅｔｏｏｔｈ通信回路２１での接続先情報などを含む発信要求を受け付けたとする（ステップＳ３８）。この受付で、制御部１２は、ＥＶＤＯ通信用の基地局からの信号を捕捉するためのサーチ処理を、無線電話用通信回路１３で開始させる（ステップＳ３９）。
【００３８】
その後、ステップＳ３９で開始させたサーチで、ＥＶＤＯ通信用の捕捉が完了したか否か判断する（ステップＳ４０）。ここで捕捉が完了した場合には、指定された電話番号にダイヤルアップで接続させる（ステップＳ４１）。このようにして、無線電話用通信回路１３で、ＥＶＤＯ用のモードで接続された無線電話回線で接続された相手と、Ｂｌｕｅｔｏｏｔｈ通信回路２１で無線接続された相手との間で、データ通信が開始される。このときのデータ通信は、ＥＶＤＯ用の通信モードが使用されるので、比較的高速なデータ伝送が行われる。
【００３９】
そして、ステップＳ４０でＥＶＤＯ通信用の捕捉が完了しない場合には、その捕捉開始から一定時間が経過してタイムアウトになったか否か判断し（ステップＳ４２）、タイムアウトになるまで、ステップＳ４０での捕捉処理が繰り返される。
ステップＳ４２でタイムアウトになった場合には、指定された電話番号にダイヤルアップで接続させる（ステップＳ４３）。このステップＳ４３でのデータ通信の場合には、１ｘモードでの通信となる。
【００４０】
図６のタイミングチャートは、図５のフローチャートのステップＳ３５で、Ｂｌｕｅｔｏｏｔｈ通信回路２１でＤＵＮが開始された場合の処理を、第１の実施の形態の場合の処理と比較して示したものである。
第１の実施の形態の場合には、図５（ａ）及び（ｂ）に示すように、ＲＦＣＯＭＭ層が起動すると同時に、ＥＶＤＯ通信モードの捕捉が開始される。これに対して本実施の形態の場合には、図５（ｃ）及び（ｄ）に示すように、ＲＦＣＯＭＭ層が起動しただけではＥＶＤＯ通信モードの捕捉は開始されない。図５（ｄ）に示すように、ＲＦＣＯＭＭ層での接続が完了して、ＤＵＮでの接続が可能となって、発信要求ＡＴＤが出力されたときに、ＥＶＤＯ通信モードの捕捉が開始される。従って、捕捉に要する時間Ｔ４だけ、データ通信の開始が待機されて、図５（ｃ）に示すように、ＥＶＤＯ通信モードでの通信が開始される。
【００４１】
この第２の実施の形態の場合にも、Ｂｌｕｅｔｏｏｔｈ通信でのダイヤルアップ通信の指示である発信要求を受信してから、ＥＶＤＯ通信モードの信号の捕捉が開始されるので、Ｂｌｕｅｔｏｏｔｈ通信開始時に、ＥＶＤＯ通信モードの信号の捕捉ができていない状態であっても、ＥＶＤＯ通信モードで通信が行われる可能性があり、用意された通信モードを適切に利用した無線通信が可能となる。
【００４２】
なお、上述した各実施の形態では、Ｂｌｕｅｔｏｏｔｈ通信でダイヤルアップ接続のプロファイルの場合に、ＥＶＤＯ通信の捕捉が行われるようにしたが、例えば、ダイヤルアップ接続でも、音声通話用のデータ通信か、コンピュータ装置などの情報処理装置を使用したデータ通信かを判断して、音声通話用のデータ通信でない場合に、ＥＶＤＯ通信の捕捉を開始させるようにしてもよい。或いは、その他のモードで、無線電話回線を使用したデータ通信の必要性を判断した場合に、同様にＥＶＤＯ通信の捕捉を開始させるようにしてもよい。
【００４３】
また、上述した各実施の形態では、Ｂｌｕｅｔｏｏｔｈ通信を行う場合を例にして説明したが、無線ＬＡＮなどのその他の近距離無線通信方式で、同様にダイヤルアップ接続によるデータ通信が必要であることを判断した場合に、同様にＥＶＤＯ通信の捕捉を開始させるようにしてもよい。
また、上述した各実施の形態では、ＣＤＭＡ方式の１ｘ通信とＥＶＤＯ通信を例にして説明したが、その他の無線電話回線が備える比較的低速のデータ通信モードと高速のデータ通信モードとが可能なものに適用可能である。
【図面の簡単な説明】
【００４４】
【図１】本発明の第１の実施の形態による通信端末の構成例を示すブロック図である。
【図２】本発明の第１の実施の形態による通信端末での処理状態の例を示すフローチャートである。
【図３】本発明の第１の実施の形態による通信状態の例を示すタイミングチャートである。
【図４】本発明の第１の実施の形態による通信状態の別の例を示すタイミングチャートである。
【図５】本発明の第２の実施の形態による通信端末での処理状態の例を示すフローチャートである。
【図６】本発明の第２の実施の形態による通信状態の例を示すタイミングチャートである。
【図７】バンドクラスごとの通信方式の例を示す説明図である。
【図８】従来のＥＶＤＯ捕捉に成功した例（ａ）と捕捉に失敗した例（ｂ）とを示すタイミングチャートである。
【図９】従来のＥＶＤＯ捕捉に失敗した状態でのＥＶＤＯ通信ができない期間を示したタイミングチャートである。
【符号の説明】
【００４５】
１…無線通信端末、１１…アンテナ、１２…制御部、１３…無線電話用通信回路、１４…表示部、１５…操作部、１６…記憶部、１８…スピーカ、１９…マイクロフォン、２０…音声処理部、２１…Ｂｌｕｅｔｏｏｔｈ通信回路、２２…アンテナ、２…５制御ライン、２６…データライン
【図１】
2009253552.tif 000003
【図２】
2009253552.tif 000004
【図３】
2009253552.tif 000005
【図４】
2009253552.tif 000006
【図５】
2009253552.tif 000007
【図６】
2009253552.tif 000008
【図７】
2009253552.tif 000009
【図８】
2009253552.tif 000010
【図９】
2009253552.tif 000011